(57)【要約】【課題】水が含まれない場合のみならず、工業用洗浄用途に有用である二塩基酸エステルを含む洗浄剤の欠点である、洗浄剤に水が含まれる場合にも、洗浄後に洗浄物に顕著に発生するシミ、変色を無くし、優れた洗浄力を発揮、維持しつつ、高度な仕上がりを安定して継続できる洗浄剤、及びそれを用いた洗浄方法を提供することを目的とする。【解決手段】二塩基酸エステルを含み、イオウ含有量が１２ｐｐｍ以下である、洗浄剤。【選択図】なし【特許請求の範囲】
【請求項１】
二塩基酸エステルを含み、イオウ含有量が１２ｐｐｍ以下である、洗浄剤。
【請求項２】
水をさらに含む、請求項１に記載の洗浄剤。
【請求項３】
式（１）で表されるグリコールエーテルをさらに含む、請求項１又は２に記載の洗浄剤。
Ｒ1Ｏ−（Ｒ2Ｏ）n−Ｒ3          （１）
（式中、Ｒ1は炭素数１〜６のアルキル基又は炭素数３〜６のシクロアルキル基であり、Ｒ2は炭素数２〜５のアルキレン基であり、Ｒ3は水素、炭素数１〜６のアルキル基、又は炭素数３〜６のシクロアルキル基であり、ｎは１〜４の整数を示す。）
【請求項４】
前記二塩基酸エステルが、アジピン酸ジメチル、グルタル酸ジメチル、及びコハク酸ジメチルからなる群から選ばれる１種以上である、請求項１〜３のいずれか１項に記載の洗浄剤。
【請求項５】
前記二塩基酸エステルが、下記（ａ）、（ｂ）、及び（ｃ）の混合物を含む、請求項１〜４のいずれか１項に記載の洗浄剤。
（ａ）アジピン酸ジメチル        １〜６０質量％
（ｂ）グルタル酸ジメチル      １０〜８０質量％
（ｃ）コハク酸ジメチル          ５〜４０質量％
【請求項６】
前記二塩基酸エステルの含有量が、４．９９〜９５質量％である、請求項１〜５のいずれか１項に記載の洗浄剤。
【請求項７】
前記水の含有量が、０．０１〜３０質量％である、請求項２〜６のいずれか１項に記載の洗浄剤。
【請求項８】
前記グリコールエーテルの含有量が、４．９９〜９５質量％である、請求項３〜７のいずれか１項に記載の洗浄剤。
【請求項９】
インキ、ペーストの洗浄用である、請求項１〜８のいずれか１項に記載の洗浄剤。
【請求項１０】
フラックスの洗浄用である、請求項１〜８のいずれか１項に記載の洗浄剤。
【請求項１１】
ディスペンサーの洗浄用である、請求項１〜８のいずれか１項に記載の洗浄剤。
【請求項１２】
請求項１〜１１のいずれか１項に記載の洗浄剤を用いる、洗浄方法。
【発明の詳細な説明】
【技術分野】
【０００１】
本発明は、洗浄剤及び洗浄方法に関する。
【背景技術】
【０００２】
二塩基酸エステルは、多種の汚れ（樹脂、インキ、ペースト、フラックス、ロジン、油等）に対する適度な溶解力を持ち、幅広い用途の洗浄剤の成分として有用である。
【０００３】
二塩基酸エステルを含む洗浄剤としては、二塩基酸エステル単独だけでなく、二塩基酸エステル以外の溶剤成分や、水を含む組成物が提案されている。
【０００４】
例えば、特許文献１においては、二塩基酸エステルと、特定の環状エステルとの組み合わせによるスクリーン版洗浄剤が記載されている。また、特許文献２においては、二塩基酸エステルと、１，３−ジメチル−２−イミダゾリジノンと、水との組み合わせによるスクリーン版用洗浄剤が記載されている。さらに、特許文献３においては、二塩基酸エステルと、グリコールエーテルとの組み合わせによる洗浄剤が記載されている。またさらに、特許文献４においては、二塩基酸エステルと、アセトフェノンとの組み合わせによるインキ洗浄用組成物が記載されている。さらにまた、特許文献５においては、二塩基酸エステルと、グリコールエーテルと、炭化水素との組み合わせによる洗浄剤組成物が記載されている。加えて、特許文献６においては、二塩基酸エステルのみによるミキシングノズル用洗浄剤組成物が記載されている。また、特許文献７においては、二塩基酸エステルと、グリコールエーテルとの組み合わせによるシール剤吐出ノズル部品の洗浄方法が記載されている。
【０００５】
工業用洗浄分野においては、洗浄対象物の材質、汚れが多種多様であり、また技術進歩による洗浄対象物の材質や汚れの変化もある。また、洗浄後の仕上がり状態に対する要求度はますます高まっており、単に汚れを除去するだけではなく、洗浄後の洗浄対象物表面のシミや変色のような変化を起こさない安定な仕上がりが継続することが求められている。
【０００６】
例えば、スクリーン印刷においては、印刷線幅の高精細化に伴い、印刷に用いるスクリーンメッシュが細かくなり、スクリーンメッシュ表面に生じるシミ、変色がより問題となる。また、スクリーンメッシュのゆがみを少なくするために、樹脂製のポリエステルメッシュからステンレス製メッシュ、さらにはニッケルメッキが施されたステンレスメッシュへとスクリーンメッシュの材質が変化している。ステンレスメッシュ表面のシミ、変色や、ニッケルメッキの変色は、インキ、ペーストの濡れ性を微妙に変化させ、印刷不良につながる。
【先行技術文献】
【特許文献】
【０００７】
【特許文献１】特開２０００−１４１９３９号公報
【特許文献２】特開平７−６２３９６号公報
【特許文献３】特開平６−９３２９２号公報
【特許文献４】特開平６−９３２９３号公報
【特許文献５】特開２００６−３４２２４７号公報
【特許文献６】特開２００５−４７９３９号公報
【特許文献７】特開２０１０−２４７１２３号公報
【発明の概要】
【発明が解決しようとする課題】
【０００８】
しかしながら、二塩基酸エステルを含む洗浄剤で、高精細化したスクリーン版のインキ、ペーストを洗浄した場合、特に、水を含有する洗浄剤において、スクリーン版にシミや変色を引き起こすという問題がある。また、フラックスの洗浄やディスペンサーの洗浄等においても同様の問題がある。
【０００９】
また、洗浄剤の使用開始時にはシミや変色が発生していなくとも、使用継続中にシミや変色が発生することがある。これは、初期には水を含有していない場合でも、洗浄後のリンス工程で使用されるリンス水の混入、外気の湿気の混入等により、使用前及び使用中に洗浄剤の中に水が混入する場合があるためである。そのため、洗浄条件によって安定な仕上がりを継続できないという観点でも問題がある。
【００１０】
本発明は、上記問題点に鑑みてなされたものであり、水が含まれない場合のみならず、工業用洗浄用途に有用である二塩基酸エステルを含む洗浄剤の欠点である、洗浄剤に水が含まれる場合にも、洗浄後に洗浄物に顕著に発生するシミ、変色を無くし、優れた洗浄力を発揮、維持しつつ、高度な仕上がりを安定して継続できる洗浄剤、及びそれを用いた洗浄方法を提供することを目的とする。
【課題を解決するための手段】
【００１１】
本発明者は、上記課題を達成するため鋭意検討を重ねた結果、二塩基酸エステルを含み、イオウ含有量が一定濃度以下の洗浄剤を用いることにより上記問題が解決されることを見出した。
すなわち、本発明は、以下のとおりである。
【００１２】
〔１〕
二塩基酸エステルを含み、イオウ含有量が１２ｐｐｍ以下である、洗浄剤。
〔２〕
水をさらに含む、前項〔１〕に記載の洗浄剤。
〔３〕
式（１）で表されるグリコールエーテルをさらに含む、前項〔１〕又は〔２〕に記載の洗浄剤。
Ｒ1Ｏ−（Ｒ2Ｏ）n−Ｒ3          （１）
（式中、Ｒ1は炭素数１〜６のアルキル基又は炭素数３〜６のシクロアルキル基であり、Ｒ2は炭素数２〜５のアルキレン基であり、Ｒ3は水素、炭素数１〜６のアルキル基、又は炭素数３〜６のシクロアルキル基であり、ｎは１〜４の整数を示す。）
〔４〕
前記二塩基酸エステルが、アジピン酸ジメチル、グルタル酸ジメチル、及びコハク酸ジメチルからなる群から選ばれる１種以上である、前項〔１〕〜〔３〕のいずれか１項に記載の洗浄剤。
〔５〕
前記二塩基酸エステルが、下記（ａ）、（ｂ）、及び（ｃ）の混合物を含む、前項〔１〕〜〔４〕のいずれか１項に記載の洗浄剤。
（ａ）アジピン酸ジメチル        １〜６０質量％
（ｂ）グルタル酸ジメチル      １０〜８０質量％
（ｃ）コハク酸ジメチル          ５〜４０質量％
〔６〕
前記二塩基酸エステルの含有量が、４．９９〜９５質量％である、前項〔１〕〜〔５〕のいずれか１項に記載の洗浄剤。
〔７〕
前記水の含有量が、０．０１〜３０質量％である、前項〔２〕〜〔６〕のいずれか１項に記載の洗浄剤。
〔８〕
前記グリコールエーテルの含有量が、４．９９〜９５質量％である、前項〔３〕〜〔７〕のいずれか１項に記載の洗浄剤。
〔９〕
インキ、ペーストの洗浄用である、前項〔１〕〜〔８〕のいずれか１項に記載の洗浄剤。
〔１０〕
フラックスの洗浄用である、前項〔１〕〜〔８〕のいずれか１項に記載の洗浄剤。
〔１１〕
ディスペンサーの洗浄用である、前項〔１〕〜〔８〕のいずれか１項に記載の洗浄剤。
〔１２〕
前項〔１〕〜〔１１〕のいずれか１項に記載の洗浄剤を用いる、洗浄方法。
【発明の効果】
【００１３】
本発明により、水が含まれない場合のみならず、工業用洗浄用途に有用である二塩基酸エステルを含む洗浄剤の欠点である、水が含まれる場合にも、洗浄後に洗浄物に顕著に発生するシミ、変色を無くし、優れた洗浄力を発揮、維持しつつ、高度な仕上がりを安定して継続できる洗浄剤、及びそれを用いて簡便で安定した洗浄方法を実現することができる。
【発明を実施するための形態】
【００１４】
以下、本発明を実施するための形態（以下、「本実施形態」という。）について詳細に説明するが、本発明はこれに限定されるものではなく、その要旨を逸脱しない範囲で様々な変形が可能である。
【００１５】
〔洗浄剤〕
本実施形態の洗浄剤は、二塩基酸エステルを含み、イオウ含有量が１２ｐｐｍ以下である。
【００１６】
〔イオウ含有量〕
イオウ含有量が１２ｐｐｍ以下であることにより、洗浄物のシミ、発生を抑制できる。二塩基酸エステルを含む洗浄剤中のイオウ含有量は、好ましくは６ｐｐｍ以下、より好ましくは２ｐｐｍ以下である。また、イオウ含有量の下限値は特に制限されないが、少ないほど好ましく、より好ましくは０．０１ｐｐｍである。なお、洗浄剤中のイオウ含有量は、燃焼−イオンクロマトグラフィーによって硫酸イオンとして検出し、測定できる。より詳細には、実施例に記載の方法により測定することができる。
【００１７】
洗浄剤中のイオウ含有量を１２ｐｐｍ以下に制御する方法としては、不純物として含まれるイオウ化合物が除去された二塩基酸エステルを用いることが挙げられる。
【００１８】
〔二塩基酸エステル〕
本実施形態に用いる二塩基酸エステルとしては、特に限定されないが、具体的には、アジピン酸、グルタル酸、コハク酸等の二塩基酸のアルキルエステルであることが好ましい。アルキル基の具体例としては、特に限定されないが、具体的には、メチル、エチル、プロピル、イソプロピル、ブチル、ｓｅｃ−ブチル、ｔ−ブチル、ペンチル、ヘキシル、シクロヘキシル等の炭素数１〜６のアルキル基が挙げられる。このなかでも、炭素数４以下のアルキル基が好ましく、メチル基がさらに好ましい。二塩基酸エステルとしてはアジピン酸ジメチル、グルタル酸ジメチル、及びコハク酸ジメチルからなる群から選ばれる１種以上であることがより好ましい。このような二塩基酸エステルであれば、より優れた洗浄力を有する洗浄剤となる。
【００１９】
（二塩基酸エステルのイオウ含有量）
本実施形態の洗浄剤中のイオウ含有量が、二塩基酸エステルに不純物として含まれるイオウ化合物に由来している場合、二塩基酸エステルに含まれるイオウ含有量は、好ましくは２０ｐｐｍ以下、より好ましくは１５ｐｐｍ以下、さらに好ましくは１０ｐｐｍ以下である。
【００２０】
（精製方法）
二塩基酸エステル中に不純物としてイオウ化合物が含まれる場合、公知の精製法を用いて精製することにより、二塩基酸エステル中のイオウ含有量を２０ｐｐｍ以下に調整することができる。例えば、二塩基酸エステルと水を混合、攪拌した後、分層して有機層を取り出し、有機層を蒸留することにより、二塩基酸エステル中のイオウ含有量を２０ｐｐｍ以下に調整することができる。二塩基酸エステルのイオウ含有量は、燃焼−イオンクロマトグラフィーによって硫酸イオンとして検出し、測定できる。
【００２１】
なお、二塩基酸エステルが複数の二塩基酸エステルの混合物である場合、上記の精製操作により混合物の組成が変化した場合は、イオウ含有量の少ない二塩基酸エステル単体を添加することにより組成を調整可能である。
【００２２】
二塩基酸エステルは単独で用いても混合物で用いてもよいが、混合物で用いることがより好ましい。具体的には、二塩基酸エステルが、（ａ）アジピン酸ジメチル、（ｂ）グルタル酸ジメチル、及び（ｃ）コハク酸ジメチルの混合物を含むことが好ましい。この場合の（ａ）〜（ｃ）の含有率としては、
（ａ）アジピン酸ジメチル        １〜６０質量％
（ｂ）グルタル酸ジメチル      １０〜８０質量％
（ｃ）コハク酸ジメチル          ５〜４０質量％
が好ましく、
（ａ）アジピン酸ジメチル        ５〜５０質量％
（ｂ）グルタル酸ジメチル      ２０〜７５質量％
（ｃ）コハク酸ジメチル        １０〜３０質量％
がより好ましく、
（ａ）アジピン酸ジメチル      １０〜４０質量％
（ｂ）グルタル酸ジメチル      ４０〜６５質量％
（ｃ）コハク酸ジメチル        １５〜２５質量％
がさらに好ましい。このような混合物であることにより、より優れた洗浄力を有する洗浄剤となる。
【００２３】
洗浄剤中の二塩基酸エステルの含有量は、洗浄用途によって調整されるが、好ましくは４．９９〜９５質量％であり、より好ましくは１０〜８０質量％であり、さらに好ましくは３０〜６０質量％である。上記好ましい範囲であることにより、より優れた洗浄力を有する洗浄剤となる。
【００２４】
〔水〕
本実施形態の洗浄剤は、水溶性汚れの溶解性向上、引火点を無くすため等の目的で水を含むことが好ましい。水の含有量としては、洗浄用途によって調整されるが好ましくは０．０１〜３０質量％であり、より好ましくは１〜２５質量％であり、さらに好ましくは５〜１５質量％である。上記好ましい範囲であることにより、水溶性汚れに対しより優れた洗浄力を有し、また、引火点が高い若しくは引火点を有さない洗浄剤となる。また、このように水が含まれたとしても、本実施形態の洗浄剤は、洗浄物にシミ、変色が発生しない高度な仕上がりを可能とする。
【００２５】
〔グリコールエーテル〕
また、本実施形態の洗浄剤は、汚れに対する洗浄性向上のため、式（１）のグリコールエーテルを含むことが好ましい。
Ｒ1Ｏ−（Ｒ2Ｏ）n−Ｒ3          （１）
（式中、Ｒ1は炭素数１〜６のアルキル基又は炭素数３〜６のシクロアルキル基であり、Ｒ2は炭素数２〜５のアルキレン基であり、Ｒ3は水素、炭素数１〜６のアルキル基、又は炭素数３〜６のシクロアルキル基であり、ｎは１〜４の整数を示す。）
【００２６】
式（１）中、Ｒ1は炭素数１〜６のアルキル基又は炭素数３〜６のシクロアルキル基であり、具体的には、メチル基、エチル基、プロピル基、ブチル基、イソプロピル基、ペンチル基、ヘキシル基、シクロプロピル基、シクロブチル基、シクロペンチル基、シクロヘキシル基等が挙げられる。
【００２７】
Ｒ2は炭素数２〜５のアルキレン基であり、具体的には、メチレン基、エチレン基、プロピレン基、ブチレン基、ペンチレン基等が挙げられる。
【００２８】
Ｒ3は、水素又は炭素数１〜６のアルキル基又は炭素数３〜６のシクロアルキル基であり、具体的には、水素、メチル基、エチル基、プロピル基、ブチル基、イソプロピル基、ペンチル基、ヘキシル基、シクロプロピル基、シクロブチル基、シクロペンチル基、シクロヘキシル基等が挙げられる。
【００２９】
式（１）のグリコールエーテルとしては、特に限定されないが、具体的には、エチレングリコール、ジエチレングリコール、トリエチレングリコール、プロピレングリコール、ジプロピレングリコール及びトリプロピレングリコールの、モノアルキルエーテル、ジアルキルエーテル、モノシクロアルキルエーテル、及びシクロアルキルアルキルジエーテル等が挙げられる。なお、グリコールエーテルは単独で用いても２種以上で用いてもよい。
【００３０】
より具体的には、ジエチレングリコールモノブチルエーテル、３−メトキシ−３−メチル−１−ブタノール、３−メトキシ−１−ブタノール、プロピレングリコールモノブチルエーテル、ジプロピレングリコールモノメチルエーテル、ジプロピレングリコールモノプロピルエーテル、ジプロピレングリコールモノブチルエーテル、トリプロピレングリコールモノメチルエーテル、ジプロピレングリコールジメチルエーテル、トリエチレングリコールジメチルエーテルが挙げられる。このなかでも、好ましくは、ジエチレングリコールモノブチルエーテル、３−メトキシ−３−メチル−１−ブタノール、ジプロピレングリコールモノメチルエーテル、ジプロピレングリコールモノプロピルエーテルが用いられる。
【００３１】
洗浄剤中のグリコールエーテルの含有量は、洗浄用途によって適宜調整されるが、好ましくは４．９９〜９５質量％、より好ましくは２０〜９０質量％であり、さらに好ましくは３０〜６０質量％である。上記好ましい範囲であることにより、より優れた洗浄力を有する洗浄剤となる。
【００３２】
〔その他の成分〕
本洗浄剤には、その他公知の添加剤として、界面活性剤、防錆剤、安定剤、酸化防止剤等を、必要に応じて添加することも可能である。界面活性剤としては、公知の界面活性剤を使用できる。このような界面活性剤としては、特に限定されないが、具体的には、ポリオキシエチレンアルキルエーテル、ポリオキシエチレンアルキルフェニルエーテル、ポリオキシエチレン−ポリオキシプロピレンアルキルエーテル等を挙げることができるが、これに限定されるものではない。
【００３３】
防錆剤としては、特に限定されないが、具体的には、脂肪酸、金属石けん、アミン類、ジシクロヘキシルアンモニウム亜硝酸塩、ジイソプロピルアミン亜硝酸塩、ジシクロヘキシルアミンカプレート、ベンゾトリアゾール等を挙げることができる。
【００３４】
安定剤としては、特に限定されないが、具体的には、２，５−ｔ−ブチルハイドロキノン、２，６−ジ−ｔ−ブチル−ｐ−クレゾール、４，４’−チオビス−（６−ｔ−ブチルフェノール）、２，２’−メチレン−ビス−（４−メチル−６−ｔ−ブチルフェノール）、オクタデシル−３−（３’，５’−ジ−ｔ−ブチル−４’−ヒドロキシフェニル）ブロピオネート、及び４，４’−チオビス−（６−ｔ−ブチルフェノール）等の酸化防止剤；ラウリン酸塩、ミリスチン酸塩、パルミチン酸塩、ステアリン酸塩、イソステアリン酸塩、オレイン酸塩、リシノール酸塩、２−エチル−ヘキシル酸塩、イソデカン酸塩、ネオデカン酸塩、及び安息香酸カルシウム等の熱安定剤を挙げることができる。
【００３５】
酸化防止剤としては、特に限定されないが、具体的には、ヒンダードフェノール系化合物、リン系化合物等を挙げることができる。
【００３６】
〔洗浄剤の製造方法〕
本実施形態の洗浄剤は、上記各成分を公知の方法により混合することにより製造することができる。
【００３７】
〔用途〕
本実施形態の洗浄剤は、スクリーン版印刷等に付着したインキ、ペースト除去用の洗浄剤に用いることができる。本実施形態の洗浄剤は、インキ、ペーストに含まれる樹脂成分、溶剤成分を溶解、分散し、効率良くインキ、ペースト汚れを除去することができる。インキ、ペースト用の洗浄剤は、必要に応じて、水、グリコールエーテル、及びモノエステルからなる群から選ばれる少なくとも１種以上を含んでもよい。この場合水の好ましい割合としては、０．０１〜３０質量％、グリコールエーテルの好ましい割合としては４．９９〜９５質量％、モノエステルの好ましい割合としては４０〜７０質量％である。モノエステルとしては、特に限定されないが、具体的には、γ−ブチロラクトン、３−メトキシ−３−メチルアセテート、グリコールエーテルアセテート、酢酸アルキルエステル、乳酸アルキルエステル等が挙げられる。
【００３８】
本実施形態の洗浄剤は、電子部品に付着したハンダ付けに用いられるフラックス除去用の洗浄剤に用いることができる。本実施形態の洗浄剤は、フラックスに含まれるロジン成分を溶解、分散し、効率良くフラックスの汚れを除去することができる。フラックス用の洗浄剤は、必要に応じて、水、グリコールエーテル、及びモノエステルからなる群から選ばれる少なくとも１種以上を含んでもよい。この場合、水の好ましい割合としては、０．０１〜３０質量％、グリコールエーテルの好ましい割合としては４，９９〜９５質量％、モノエステルの好ましい割合としては４０〜７０質量％である。モノエステルとしては、前記同様のものが挙げられる。
【００３９】
本実施形態の洗浄剤は、エポキシ樹脂、ウレタン樹脂、シリコン樹脂等の液状樹脂を混合吐出するディスペンサーに付着した樹脂除去用の洗浄剤に用いることができる。本実施形態の洗浄剤は、エポキシ樹脂、ウレタン樹脂、シリコン樹脂等の液状樹脂を溶解、分散し、効率よく樹脂汚れを除去することができる。ディスペンサー用の洗浄剤は、必要に応じて、グリコールエーテル、モノエステル、炭化水素、及びアミド化合物からなる群から選ばれる少なくとも１種以上を含んでもよい。この場合、グリコールエーテルの好ましい割合としては４．９９〜９５質量％、モノエステルの好ましい割合としては４０〜７０質量％、炭化水素の好ましい割合としては、１０〜４０質量％、アミド化合物の好ましい割合としては、１０〜４０質量％である。モノエステルの例としては、前記同様のものが挙げられる。炭化水素としては、特に限定されないが、具体的には、デカン、ドデカン、テトラデカン等の飽和炭化水素；１−デセン、１−ドデセン、１−テトラデセン等の不飽和炭化水素が挙げられる。また、アミド化合物としては、特に限定されないが、具体的には、１−メチル−２−ピロリドン、１−エチル−２−ピロリドン、１，３−ジメチル−２−イミダゾリジノン、Ｎ，Ｎ−ジアルキル−３−メトシキプロピオンアミド、Ｎ，Ｎ−ジアルキル−３−ブトキシキプロピオンアミド等が挙げられる。
【００４０】
〔洗浄方法〕
本実施形態の洗浄方法は、上記洗浄剤を用いる。以下に本実施形態の洗浄剤を用いる洗浄方法について説明する。なお、本実施形態の洗浄剤を用いる洗浄方法は、公知の洗浄用の用具、洗浄機を用いて行うことができる。
【００４１】
例えば、超音波発振子を備えた洗浄槽に洗浄液を満たし、スクリーン版、メタルマスク版、電子部品、ディスペンサー部品を浸漬して、超音波洗浄し、洗浄後、エアブローや熱風で乾燥する方法が挙げられる。必要に応じて、洗浄と乾燥の間に、超音波発振子を設けたリンス槽で水リンスを加えることも挙げられる。
【００４２】
また、超音波洗浄の代わりに、洗浄液をポンプで汲み上げ、スクリーン版、メタルマスク版、電子部品、ディスペンサー部品に吹き付けて洗浄するスプレー洗浄も挙げられる。
ディスペンサー洗浄の場合は、樹脂混合タンク内に洗浄液を注入し、ディスペンサー自身の攪拌翼で攪拌して樹脂混合タンク内を洗浄し、洗浄後、洗浄液を樹脂混合タンク内から排液する方法も挙げられる。
【実施例】
【００４３】
以下、本発明を実施例、比較例に基づいて具体的に説明するが、本発明は、以下の実施例によって何ら限定されるものではない。
【００４４】
［実施例１〜３６及び比較例１〜３６］
表１に示す二塩基酸エステル１〜３６を調製した。表１中、アジピン酸ジメチル（インビスタジャパン株式会社製；ＤＢＥ−６）をＤＭＡ、グルタル酸ジメチル（インビスタジャパン株式会社製；ＤＢＥ−５）をＤＭＧ、コハク酸ジメチル（インビスタジャパン株式会社製；ＤＢＥ−４）をＤＭＳと略する。調整はＤＭＡ、ＤＭＧ、ＤＭＳの単体及びＤＭＡ、ＤＭＧ、ＤＭＳの混合物（インビスタジャパン株式会社製；ＤＢＥ）を適宜測量して行った。表１中の各成分の数値は、二塩基酸エステル全体に対する質量％を示した。
【００４５】
二塩基酸エステル１〜３６を用いて、表２に示す洗浄剤Ａ１〜Ｘ１、表３に示す洗浄剤Ａ２〜Ｘ２、表４に示す洗浄剤Ａ３〜Ｘ３を調製した。
【００４６】
表２中、ジエチレングリコールブチルエーテル（日本乳化剤株式会社製；ＢＤＧ）をＢＤＧと略した。表２中の各成分の数値のうち、イオウ含有量は洗浄剤全体に対する含有量（ｐｐｍ）を示し、その他の成分の値は洗浄剤全体に対する質量％を示した。
【００４７】
表３中、ジプロピレングリコールメチルエーテル（ダウケミカル日本株式会社製；ダワノールＤＰＭ）をＤＰＭと略した。表３中の各成分の数値のうち、イオウ含有量は洗浄剤全体に対する含有量（ｐｐｍ）を示し、その他の成分の値は洗浄剤全体に対する質量％を示した。
【００４８】
表４中、ジプロピレングリコールプロピルエーテル（ダウケミカル日本株式会社製；ダワノールＤＰｎＰ）をＤＰＰと略した。表４中の各成分の数値のうち、イオウ含有量は洗浄剤全体に対する含有量（ｐｐｍ）を示し、その他の成分の値は洗浄剤中全体に対する質量％を示した。
【００４９】
洗浄剤Ａ１〜Ｘ１を用いて下記試験（１）、（２）を行い、結果を表５にまとめた。洗浄剤Ａ２〜Ｘ２を用いて下記試験（１）、（３）を行い、結果を表６にまとめた。洗浄剤Ａ３〜Ｘ３を用いて下記試験（１）、（４）を行い、結果を表７にまとめた。
【００５０】
〔イオウ含有量の測定方法〕
洗浄剤中、及び二塩基酸エステル中のイオウ含有量は、燃焼−イオンクロマトグラフィーによって硫酸イオンとして検出し、測定した。
【００５１】
（１）シミ、変色試験
４００メッシュのスクリーン版用ステンレス製ニッケルメッキメッシュに表２、表３、表４に示す洗浄剤を塗布し、８０℃で熱風乾燥した。乾燥後のメッシュ表面を目視観察し、メッシュ表面の外観変化を下記基準で判定した。シミ、変色の区別は、外観変化部分をエタノールで拭き取り、消失した場合をシミ、残留した場合を変色と判断した。
◎：シミ無し            ◎：変色無し
○：ほとんどシミ無し    ○：ほとんど変色無し
×：明らかにシミ有り    ×：明らかに変色有り
【００５２】
（２）洗浄性；フラックス洗浄試験
フラックス成分であるロジン（和光純薬工業株式会社製；ロジン）約０．１ｇを溶融塗布したガラスエポキシ製基板を表２の洗浄剤に浸漬した。浸漬中、５分間、周波数４０ｋＨｚ、温度５０℃の条件で超音波洗浄を行い、次いで１分間超音波仕上げ洗浄を行った。その後に、エアブローで液を切り、乾燥後の基板表面のロジン残渣を目視観察し、下記基準で洗浄性を判定した。
◎：ロジン残渣無し
○：ほとんどロジン残渣無し
×：明らかにロジン残渣有り
【００５３】
（３）洗浄性；インキ、ペースト洗浄試験
インキ（太陽インキ製；Ｓ−１００Ｙ）約０．１ｇを２００メッシュのステンレス製メッシュに付着させ、表３の洗浄剤に浸漬した。浸漬中、５分間、周波数４０ｋＨｚ、温度３５℃の条件で超音波洗浄を行い、次いで１分間超音波仕上げ洗浄を行った。その後に、エアブローで液を切り、８０℃の温風で１０分間乾燥後のメッシュ表面のインキ残渣を目視観察し、下記基準で洗浄性を判定した。
◎：インキ残渣無し
○：ほとんどインキ残渣無し
×：明らかにインキ残渣有り
【００５４】
（４）洗浄性；ディスペンサー洗浄試験
内径０．３ｍｍのディスペンサーノズルに、シール剤（協立化学産業株式会社製；熱硬化型シール剤ワールドロック７８０Ｐ）を塗布し、表４の洗浄剤に浸漬した。浸漬中、周波数２８ｋＨｚ、温度３０〜４０℃の条件で３０分間超音波洗浄を行い、次いで３０分間超音波仕上げ洗浄を行った後に、エアブローで液を切り、乾燥後のノズルのシール剤残渣を目視観察し、下記基準で洗浄性を判定した。
◎：シール剤残渣無し
○：ほとんどシール剤残渣無し
×：明らかにシール剤残渣有り
【００５５】
【表１】
2014019810.tif 000002
【００５６】
【表２】
2014019810.tif 000003
【００５７】
【表３】
2014019810.tif 000004
【００５８】
【表４】
2014019810.tif 000005
【００５９】
【表５】
2014019810.tif 000006
【００６０】
【表６】
2014019810.tif 000007
【００６１】
【表７】
2014019810.tif 000008
【産業上の利用可能性】
【００６２】
本発明の洗浄剤、洗浄方法は、金属製部品、プラスチック製部品、ガラス製部品、スクリーン版、メタルマスク、樹脂液吐出ディスペンサー部品、電子部品、電子回路基板等の工業用洗浄に用いられる洗浄剤、洗浄方法として好適である。